(57)【要約】【課題】容器本体を磁石の吸着力によって容易に取り付けることができる植物用容器を提供する。【解決手段】植物用容器１１は、植物を収容するものであり、上端が開口した有底箱状をなす容器本体１２と、容器本体１２の側壁１３の外面に設けられた磁石１４と、を備えている。【選択図】図１
0003233706.tif 000002
【実用新案登録請求の範囲】
【請求項１】
植物を収容する植物用容器であって、
上端が開口した有底箱状をなす容器本体と、
前記容器本体の側壁の外面に設けられた磁石と、
を備えたことを特徴とする植物用容器。
【請求項２】
前記容器本体の前記側壁には、前記容器本体内に水を入れる際に前記容器本体内の水面の高さを制限する排水部が設けられていることを特徴とする請求項１に記載の植物用容器。
【請求項３】
前記容器本体は、透明または半透明の合成樹脂材料によって構成されていることを特徴とする請求項１または請求項２に記載の植物用容器。
【請求項４】
請求項１〜請求項３のうちいずれか一項に記載の植物用容器が取り付けられる取付面を有した容器取付具であって、
前記取付面は、前記磁石が吸着可能な材料によって構成されていることを特徴とする容器取付具。
【考案の詳細な説明】
【技術分野】
【０００１】
本考案は、植物を収容する植物用容器及び当該植物用容器が取り付けられる取付面を有した容器取付具に関する。
【背景技術】
【０００２】
一般に、植物を収容する植物用容器としては、取付面に対して釘やボルトなどを用いて取り付けられるものが知られている。
【考案の概要】
【考案が解決しようとする課題】
【０００３】
しかしながら、上述のような植物用容器を取付面に対して取り付ける場合には、取付面に対して釘を打ったりボルトを締めたりしなければならないので、取り付け作業に手間がかかる。このため、取付面に対して容易に取り付けることができる植物用容器が望まれている。
【課題を解決するための手段】
【０００４】
以下、上記課題を解決するための手段及びその作用効果について記載する。
上記課題を解決するための植物用容器は、植物を収容する植物用容器であって、上端が開口した有底箱状をなす容器本体と、前記容器本体の側壁の外面に設けられた磁石と、を備えたことを要旨とする。
【０００５】
この構成によれば、磁石が吸着可能な材料によって構成された取付面に対して容器本体を磁石の吸着力によって容易に取り付けることができる。
上記植物用容器において、前記容器本体の前記側壁には、前記容器本体内に水を入れる際に前記容器本体内の水面の高さを制限する排水部が設けられていることが好ましい。
【０００６】
この構成によれば、容器本体内に水を入れすぎた場合に、当該入れすぎた余分な水が排水部から排出される。したがって、容器本体内の水面の高さが必要以上に高くなることを抑制できる。この結果、容器本体内に収容された植物の根が腐ることを抑制できる。
【０００７】
上記植物用容器において、前記容器本体は、透明または半透明の合成樹脂材料によって構成されていることが好ましい。
この構成によれば、容器本体内の水面の高さを外部から容易に視認できる。
【０００８】
上記課題を解決するための容器取付具は、上記構成の植物用容器が取り付けられる取付面を有した容器取付具であって、前記取付面は、前記磁石が吸着可能な材料によって構成されていることを要旨とする。
【０００９】
この構成によれば、取付面に対して容器本体を磁石の吸着力によって容易に取り付けることができる。
【考案の効果】
【００１０】
本考案によれば、容器本体を磁石の吸着力によって容易に取り付けることができる。
【図面の簡単な説明】
【００１１】
【図１】一実施形態の植物用容器を示す斜視図。
【図２】（ａ）及び（ｂ）は、植物を植物支持具によって支持する様子を示す斜視図。
【図３】植物支持具によって支持された植物を収容した植物用容器を容器取付具に取り付けたときの状態を示す斜視図。
【考案を実施するための形態】
【００１２】
以下、植物用容器の一実施形態について図面に従って説明する。
図１に示すように、植物用容器１１は、上端が開口した有底矩形箱状をなす容器本体１２と、容器本体１２における幅方向Ｘで対向する２つの矩形状の側壁のうちの一方の側壁１３の外面に設けられた一対の磁石１４とを備えている。容器本体１２は、例えば、透明または半透明の合成樹脂材料によって構成される。本実施形態の容器本体１２は、一例として、無色透明の合成樹脂によって構成されている。
【００１３】
一対の磁石１４は、側壁１３の外面における容器本体１２の長手方向Ｙの両端部の上端部にそれぞれ設けられている。一対の磁石１４は、円板状をなしており、それらの側壁１３側とは反対側の面以外の部分が有底円形箱状のヨーク１５によって覆われている。一対の磁石１４は、その中心部において側壁１３に対して例えばボルト及びナットなどによってヨーク１５と共にそれぞれ固定される。
【００１４】
側壁１３における一対の磁石１４同士の間の位置には、容器本体１２内に水を入れる際に容器本体１２内の水面の高さを制限する排水部の一例としての一対の排水孔１６が貫通して設けられている。一対の排水孔１６は、一例として、側壁１３の高さの７割程度の高さの位置に配置されている。
【００１５】
次に、植物用容器１１に収容される植物等の構成について説明する。
図１〜図３に示すように、植物用容器１１には、植物１７を植物支持具１８に支持した状態で収容される。植物支持具１８は、例えば平面視正方形の略直方体形状をなす吸水スポンジによって構成されている。この場合、吸水スポンジは、連続気泡のウレタンフォームであることが好ましい。植物支持具１８のサイズは、一例として、容器本体１２内に長手方向Ｙに丁度４つ並べて収容可能な程度に設定されている。
【００１６】
植物支持具１８は、その上面１８ａにおいて中心から外周側に向かって延びる複数（本実施形態では８つ）の切れ目１９を有している。各切れ目１９は、上面１８ａから見て放射状に延びている。各切れ目１９は、植物支持具１８の上面１８ａから下面１８ｂまで達している。複数の切れ目１９のうちの一つは、上面１８ａから見て植物支持具１８の一つのコーナー部２０まで達している。したがって、植物支持具１８は、一つのコーナー部２０の一つの切れ目１９が水平方向に開くようになっている。
【００１７】
そして、図２（ａ）に示すように、植物支持具１８によって植物１７を支持する場合には、植物支持具１８に水を吸わせた後、植物支持具１８のコーナー部２０の切れ目１９を水平方向に開くように植物支持具１８を弾性変形させる。続いて、土を落とした状態の植物１７の根２１の部分を植物支持具１８の内部に挿入する。
【００１８】
その後、図２（ｂ）に示すように、植物支持具１８のコーナー部２０の開いていた切れ目１９を弾性復元力によって閉じることで、植物１７が植物支持具１８に支持される。つまり、植物支持具１８は、植物１７の根２１の部分を各切れ目１９内に収容するとともに植物１７の葉２２の部分を外部に露出させた状態で植物１７を支持する。
【００１９】
次に、一対の磁石１４の吸着力によって植物用容器１１が取り付けられる容器取付具について説明する。
図３に示すように、容器取付具２３は、一例として、所謂Ａ型スタンドによって構成されている。すなわち、容器取付具２３は、一対の矩形状の鋼板２４の上端部同士をヒンジ（図示略）によって連結することによって構成される。鋼板２４は、強磁性体である鉄を含むため、磁石１４がつく性質を持つ。
【００２０】
鋼板２４の表面は、植物用容器１１が一対の磁石１４の吸着力によって取り付け可能な取付面２４ａとされている。すなわち、取付面２４ａは、植物用容器１１の一対の磁石１４が吸着可能な材料によって構成されている。取付面２４ａは、塗料によって例えば白色や黒色などに着色することが好ましい。
【００２１】
次に、植物用容器１１の使用時の作用について説明する。
図３に示すように、植物用容器１１を使用して例えば屋外や屋内の空間を植物１７で飾る場合には、まず、容器取付具２３の一対の鋼板２４を所定角度に開いた状態で床面上に立てる。続いて、容器取付具２３の取付面２４ａの所望の位置に植物用容器１１を一対の磁石１４の吸着力によって取り付ける。続いて、植物用容器１１の容器本体１２内に、植物１７を支持した状態の植物支持具１８を複数（本例では４つ）並べて収容する。
【００２２】
このとき、複数の植物支持具１８は、全て互いに色が異なっていてもよいし、一部の色が他と異なっていてもよいし、全て色が同じであってもよい。さらにこのとき、複数の植物支持具１８にそれぞれ支持された植物１７は、全て互いに種類が異なっていてもよいし、一部の種類が他と異なっていてもよいし、全て種類が同じであってもよい。
【００２３】
続いて、容器本体１２内に水を入れる。このとき、容器本体１２は無色透明であるため、容器本体１２の横から容器本体１２内の水面の位置を目視で確認できる。さらにこのとき、容器本体１２内に水を入れすぎた場合には、当該入れすぎた余分な水が一対の排水孔１６から容器本体１２外へ排出される。このため、容器本体１２内には、容易に適量の水を入れることができる。
【００２４】
このように、植物用容器１１は、一対の磁石１４の吸着力によって容器取付具２３の取付面２４ａに対して容易に取り付けることができるので、屋外や屋内の空間を植物１７によって容易に飾ることができる。さらに、植物用容器１１は、一対の磁石１４の吸着力によって容器取付具２３の取付面２４ａに取り付けられるため、取付面２４ａ内であれば、容易に取り付け位置を変更することができる。
【００２５】
以上詳述した実施形態によれば、次のような効果が発揮される。
（１）植物用容器１１は、上端が開口した有底箱状をなす容器本体１２と、容器本体１２の側壁１３の外面に設けられた磁石１４とを備えている。
【００２６】
この構成によれば、磁石１４が吸着可能な材料によって構成された取付面２４ａに対して容器本体１２を磁石１４の吸着力によって容易に取り付けることができる。
（２）植物用容器１１において、容器本体１２の側壁１３には、容器本体１２内に水を入れる際に容器本体１２内の水面の高さを制限する排水孔１６が設けられている。
【００２７】
この構成によれば、容器本体１２内に水を入れすぎた場合に、当該入れすぎた余分な水が排水孔１６から排出される。このため、容器本体１２内の水面の高さが必要以上に高くなることを抑制できる。したがって、容器本体１２内に収容された植物１７の根２１が腐ることを抑制できる。
【００２８】
（３）植物用容器１１において、容器本体１２は、無色透明の合成樹脂材料によって構成されている。
この構成によれば、容器本体１２内の水面の高さを容器本体１２の横から容易に視認できる。
【００２９】
（４）容器取付具２３は、植物用容器１１が取り付けられる取付面２４ａを有している。取付面２４ａは、磁石１４が吸着可能な材料によって構成されている。
この構成によれば、容器取付具２３の取付面２４ａに対して容器本体１２を磁石１４の吸着力によって容易に取り付けることができる。
【００３０】
（変更例）
上記実施形態は、以下のように変更して実施することができる。また、上記実施形態及び以下の変更例は、技術的に矛盾しない範囲で互いに組み合わせて実施することができる。
【００３１】
・容器本体１２は、無色透明の合成樹脂材料に限らず、有色透明、有色半透明、または無色半透明の合成樹脂材料によって構成してもよい。
・容器本体１２は、必ずしも合成樹脂材料によって構成する必要はない。すなわち、容器本体１２は、例えば、ガラス、セラミック、金属などによって構成してもよい。
【００３２】
・容器本体１２に設ける排水孔１６の数や配置は、適宜変更してもよい。
・容器本体１２における排水孔１６は、省略してもよい。
・容器本体１２の側壁１３の上端部には、排水孔１６の代わりに排水部として切欠部を設けるようにしてもよい。
【００３３】
・磁石１４の形状は、円板状に限らず、例えば多角形の板状であってもよい。
・容器本体１２の側壁１３の外面に磁石１４を収容可能な合成樹脂製のポケットを設け、当該ポケットに磁石１４を収容することによって磁石１４を容器本体１２に取り付けるようにしてもよい。
【００３４】
・植物支持具１８は、根２１に土が付いた状態の植物１７を支持するようにしてもよい。この場合、植物支持具１８には、複数の切れ目１９の代わりに、土が付いた状態の根２１を収容して支持することが可能な支持孔（図示略）が形成される。
【００３５】
・容器取付具２３は、壁掛け用の鋼板によって構成してもよい。この場合、鋼板の形状は、任意でよい。
・容器本体１２の長手方向Ｙの長さは、適宜変更してもよい。この場合、容器本体１２の長手方向Ｙの長さに応じて、側壁１３に取り付ける磁石１４の数や配置は、適宜変更することが好ましい。
【符号の説明】
【００３６】
１１…植物用容器
１２…容器本体
１３…側壁
１４…磁石
１５…ヨーク
１６…排水部の一例としての排水孔
１７…植物
１８…植物支持具
１８ａ…上面
１８ｂ…下面
１９…切れ目
２０…コーナー部
２１…根
２２…葉
２３…容器取付具
２４…鋼板
２４ａ…取付面
Ｘ…幅方向
Ｙ…長手方向
【図１】
0003233706.tif 000003
【図２】
0003233706.tif 000004
【図３】
0003233706.tif 000005